(57)【要約】【課題】エレベーター装置のロープ縮みによるウェッジの摩擦係合を防止する。【解決手段】タイダウン装置は、コンペンレール（８ａ）に沿って上下動可能に支持され、コンペンレール（８ａ）と対向しつつ上方に向かって末広がりに開いている傾斜面（８ｂ）を有する筐体（８ｃ）と、コンペンレール（８ａ）と筐体（８ｃ）の傾斜面（８ｂ）との間隙に配置され、コンペンレール（８ａ）と摩擦係合可能なウェッジ（８ｄ）と、筐体（８ｃ）の傾斜面（８ｂ）とウェッジ（８ｄ）との対向表面によって挟持されながら筐体（８ｃ）の傾斜面（８ｂ）及びウェッジ（８ｄ）上を転動するローラ（８ｅ）と、ウェッジ（８ｄ）を支持する支持部材と（８ｆ,８ｇ）、を備え、支持部材（８ｆ,８ｇ）は、筐体（８ｃ）が緩やかに上下する場合に、ウェッジ（８ｄ）をコンペンレール（８ａ）と摩擦係合しない高さ位置に支持し、筐体（８ｃ）が急速に押し上げられた場合に、ウェッジ（８ｄ）をコンペンレール（８ａ）と摩擦係合するように動作する。
2015125294.tif 000002
【特許請求の範囲】
【請求項１】
コンペンレールに沿って上下動可能に支持され、前記コンペンレールと対向しつつ上方に向かって末広がりに開いている傾斜面を有する筐体と、  前記コンペンレールと前記筐体の傾斜面との間隙に配置され、前記コンペンレールと摩擦係合可能なウェッジと、  前記筐体の傾斜面と前記ウェッジとの対向表面によって挟持されながら前記筐体の傾斜面及び前記ウェッジ上を転動するローラと、  前記ウェッジを支持する支持部材と、  を備え、  前記支持部材は、前記筐体が緩やかに上下する場合に、前記ウェッジを前記コンペンレールと摩擦係合しない高さ位置に支持し、前記筐体が急速に押し上げられた場合に、前記ウェッジを前記コンペンレールと摩擦係合するように動作する  ことを特徴とする、エレベーターのタイダウン装置。
【請求項２】
前記支持部材は、前記ウェッジ下端と前記筐体底部との間に介装される弾性体からなり、前記弾性体の弾性力は、前記筐体が緩やかに上下する場合に前記コンペンレールと係合せず、前記弾性体の圧縮量をウェッジの自重を支持する値に設定され、前記筐体が急速に押し上げられた場合には、前記ウェッジの慣性力により前記ウェッジと前記コンペンレールとを係合させる値に設定される、  ことを特徴とする、請求項１に記載のエレベーターのタイダウン装置。
【請求項３】
前記支持部材は、ばね体及びボルトからなり、前記筐体が緩やかに上下する場合には、前記ばね体が圧縮されることなく前記ウェッジを前記筐体の動きに合わせて上昇または下降させ、前記筐体が急速に押し上げられた場合に、前記ばね体が圧縮されて前記ウェッジが前記筐体と前記コンペンレールとの間に摩擦係合される  ことを特徴とする、請求項２に記載のエレベーターのタイダウン装置。
【請求項４】
巻上機のシーブに巻き付けられた主ロープによってつるべ状に吊設された乗りかご及びつり合いおもりと、  前記乗りかご及び前記つり合いおもりの下部に連結されるコンペンロープと、  前記コンペンロープの下端部に配置されるコンペンプーリと、  前記コンペンプーリの位置を規制するタイダウン装置と、  を備え、  前記タイダウン装置は、  コンペンレールに沿って上下動可能に支持され、前記コンペンレールと対向しつつ上方に向かって末広がりに開いている傾斜面を有する筐体と、  前記コンペンレールと前記筐体の傾斜面との間隙に配置され、前記コンペンレールと摩擦係合可能なウェッジと、  前記筐体の傾斜面と前記ウェッジとの対向表面によって挟持されながら前記筐体の傾斜面及び前記ウェッジ上を転動するローラと、  前記ウェッジを支持する支持部材と、  を備え、  前記支持部材は、前記筐体が緩やかに上下する場合に、前記ウェッジを前記コンペンレールと摩擦係合しない高さ位置に支持し、前記筐体が急速に押し上げられた場合に、前記ウェッジを前記コンペンレールと摩擦係合するように動作する  ことを特徴とする、エレベーター装置。
【請求項５】
前記乗りかごの昇降速度が規定値を超えたことを検出して前記乗りかごを非常停止する非常止め装置をさらに備え、  前記支持部材は、平常時には、前記ウェッジを前記コンペンレールと摩擦係合しない高さ位置に支持し、前記非常止め装置により前記乗りかごが非常停止した場合に、前記ウェッジを前記コンペンレールと摩擦係合するように動作する  ことを特徴とする、請求項４に記載のエレベーター装置。 
【発明の詳細な説明】
【技術分野】
【０００１】  本発明は、エレベーターのタイダウン装置及びエレベーター装置に関し、ロープ縮みによるタイダウン装置とウェッジとの摩擦係合を回避するエレベーターのタイダウン装置及びエレベーター装置に適用して好適なるものである。
【背景技術】
【０００２】  従来、エレベーター装置においては、巻上機のシーブに巻き付けられた主ロープによってつるべ状に吊設された乗りかごとつり合いおもりを備え、乗りかご及びつり合いおもりの下部からコンペンロープがＵ字形につりさげられ、昇降路の底部に設けられたコンペンプーリにコンペンロープが巻き付けられて、下向きの張力が負荷されるようになっている。【０００３】  上記したように、エレベーター装置のかごとつり合いおもりは主ロープ及びコンペンロープで連結されており、かごまたはつり合いおもりが非常止め装置などによって急停止した場合には、慣性の力でコンペンロープが巻回され、コンペンプーリが跳ね上がってしまう。このコンペンプーリの跳ね上がりを防止するためにタイダウン装置が設けられ、このタイダウン装置によりコンペンプーリの位置が規制される。特許文献１に示すように、タイダウン装置は、エレベーターの急停止によりタイダウン装置が上向きの力を受けた場合に、タイダウン装置に設けられたウェッジの働きで該タイダウン装置を速やかにコンペンレールに拘束した状態とする。
【先行技術文献】
【特許文献】
【０００４】
【特許文献１】特開２００７−８４２９０号公報
【発明の概要】
【発明が解決しようとする課題】
【０００５】  ところで、エレベーターの主ロープやコンペンロープは湿度や環境によって縮むことがある。このようにロープが縮んでいくと、コンペンプーリがゆっくりと上昇する。このようなゆっくりとコンペンプーリが上昇した場合であっても、コンペンプーリによりタイダウン装置の筐体が押し上げられ、タイダウン装置が動作した状態となってしまう。タイダウン装置が動作した状態とは、すなわち、コンペンプーリによりタイダウン装置の筐体が押し上げられて、ウェッジが筐体とコンペンレールとの間に噛み込み、ウェッジとコンペンレールとが摩擦係合した状態である。【０００６】  一度ウェッジとコンペンレールとが摩擦係合した状態となると、湿度や環境、経年伸びなどの変化に応じてロープが伸びても、タイダウン装置内のウェッジの摩擦係合が保持されて、筐体やコンペンプーリも押し上げられた状態のままとなってしまう。このように、コンペンプーリが下がらず荷重が掛かっていない状態となるとエレベーターを安全に稼働することができないため、従来は、適宜保守作業によりウェッジの摩擦係合を解放していた。  本発明は以上の点を考慮してなされたもので、エレベーター装置のロープ縮みによるウェッジの摩擦係合を防止することが可能なエレベーターのタイダウン装置及びエレベーター装置を提案しようとするものである。
【課題を解決するための手段】
【０００７】  かかる課題を解決するために本発明においては、コンペンレールに沿って上下動可能に支持され、前記コンペンレールと対向しつつ上方に向かって末広がりに開いている傾斜面を有する筐体と、前記コンペンレールと前記筐体の傾斜面との間隙に配置され、前記コンペンレールと摩擦係合可能なウェッジと、前記筐体の傾斜面と前記ウェッジとの対向表面によって挟持されながら前記筐体の傾斜面及び前記ウェッジ上を転動するローラと、前記ウェッジを支持する支持部材と、備え、前記支持部材は、前記筐体が緩やかに上下する場合に、前記ウェッジを前記コンペンレールと摩擦係合しない高さ位置に支持し、前記筐体が急速に押し上げられた場合に、前記ウェッジを前記コンペンレールと摩擦係合するように動作することを特徴とする、エレベーターのタイダウン装置が提供される。【０００８】  かかる構成によれば、タイダウン装置は、非常時、すなわち、エレベーターが急停止した場合に、タイダウン装置は、タイダウン装置の筐体の上昇によるウェッジの係合を妨げることがなく、平常時には、ウェッジをコンペンレールと摩擦係合しない高さ位置に支持する支持部材を設けて、ロープ縮みによる筐体の緩やかな上昇によるウェッジが筐体とコンペンレールとの間に摩擦係合することを防ぐことができる。これにより、非常時のタイダウン装置の機能を損なうことなく、平常時には、主ロープ及びコンペンロープの伸縮に筐体を追従させ、エレベーターを安全な状態に保つことができる。
【発明の効果】
【０００９】  本発明によれば、エレベーター装置の非常停止によるタイダウン装置の上昇によるウェッジの係合を防止するとともに、エレベーター装置のロープ縮みによるウェッジの摩擦係合を防止して、エレベーターを常に安全な状態に保つことができる。
【図面の簡単な説明】
【００１０】
【図１】本発明の一実施形態に係るエレベーターの概略構成図である。
【図２】同実施形態にかかるタイダウン装置の縦断面図である。
【図３】同実施形態にかかる平常時のタイダウン装置を説明する概念図である。
【図４】同実施形態にかかる異常時のタイダウン装置を説明する概念図である。
【図５】同実施形態にかかる異常時のタイダウン装置を説明する概念図である。
【発明を実施するための形態】
【００１１】  以下図面について、本発明の一実施の形態を詳述する。
【００１２】  まず、図１を参照して、エレベーター装置の概略について説明する。図１に示すように、エレベーター装置１０は、巻上機のシーブ１及びそらせ車２に巻き付けた主ロープ３によってつるべ状に懸架される乗りかご４及びつり合いおもり５を備える。シーブ１の回転トルクは、主ロープ３とシーブ１に生じる摩擦力によって主ロープ３に伝達されて、主ロープ３を介して乗りかご４と釣合いが互いに反対に昇降される。
【００１３】  さらに、エレベーター装置１０は、乗りかご４及びつり合いおもり５の下部に連結されるコンペンロープ６と、コンペンロープ６下端部に配置されるコンペンプーリ７と、コンペンプーリ７が跳ね上がらないように位置規制するタイダウン装置８と、かご４の昇降速度が規定値を超えたことを検出してかご４を非常停止する非常止め装置９とを備えている。
【００１４】  次に、図２を参照して、タイダウン装置８の構成について説明する。図２に示すように、タイダウン装置８は、主に、筐体８ｃ、ウェッジ８ｄ、ローラ８ｅ、ばね体８ｆ及びボルト８ｇを備える。
【００１５】  筐体８ｃは、コンペンプーリ７の近傍に立設されるコンペンレール８ａに沿って上下動可能に支持される。また、筐体８ｃは、コンペンレール８ａと対向しつつ上方に向かって末広がりに開いている傾斜面８ｂを有する。
【００１６】  ウェッジ８ｄは、コンペンレール８ａと筐体８ｃの傾斜面８ｂとの間隙に配置され、コンペンレール８ａと摩擦係合可能に配置される。ローラ８ｅは、筐体８ｃの傾斜面８ｂ及びウェッジ８ｄの対向表面によって挟持されつつ、傾斜面８ｂ及びウェッジ８ｄの上を転動する。ばね体８ｆは、ウェッジ８ｄ下端と筐体８ｃ底部との間に介装され、ウェッジ８ｄを支持する。ボルト８ｇは、ばね体８ｆを立設状態に保持する。
【００１７】  また、図３に示すように、筐体８ｃは、筐体８ｃをコンペンレール８ａの所定の高さ位置に保持する保持部材８ｈと、筐体８ｃの上部から上方に向かって延設され、図示しない緩衝ばねを支持するロッド８ｉとを備えている。
【００１８】  図２に戻り、ばね体８ｆ及びボルト８ｇは、非常時、すなわち、乗りかご４またはつり合いおもり５が非常止め装置９などによって急停止し、コンペンプーリ７が跳ね上がり、筐体８ｃが急速に押し上げられた場合に筐体８ｃの上昇を妨げることはない。
【００１９】  また、ばね体８ｆ及びボルト８ｇは、平常時には、ウェッジ８ｄをコンペンレール８ａと摩擦係合しない高さ位置に支持する支持部材として構成される。具体的に、図２に示すように、ウェッジ８ｄは、コンペンレール８ａとの間に隙間が設けられる高さに、ばね体８ｆ及びボルト８ｇにより支持される。ばね体８ｆのばね力は、ロープ縮みによる筐体８ｃの上昇で圧縮されることがなく、ウェッジ８ｄの自重を支持可能な値に設定される。
【００２０】  例えば、温度や環境に応じて主ロープ３やコンペンロープ６が縮むと、コンペンプーリ７はゆっくりと上昇する。図２の状態では、コンペンプーリ７がゆっくりと上昇し、コンペンプーリ７がタイダウン装置８の筐体８ｃを押し上げた場合、ロープ縮みによるゆっくりとした筐体８ｃの上昇では、ばね体８ｆは圧縮されることがない。すなわち、ゆっくりと筐体８ｃが上昇した場合には、ばね体８ｆは、ウェッジ８ｄの自重を支持し、筐体８ｃの動きに合わせてウェッジ８ｄを押し上げる。
【００２１】  このように、主ロープ３やコンペンロープ６が縮み、コンペンプーリ７がゆっくりと上昇してタイダウン装置８の筐体８ｃが緩やかに押し上げられたとしても、筐体８ｃの上昇に合わせてウェッジ８ｄも押し上げられる。このため、ウェッジ８ｄとコンペンレール８ａとの間隙はそのまま保持され、ウェッジ８ｄは筐体８ｃとコンペンレール８ａとの間に摩擦係合されることはない。
【００２２】  さらに、その後、温度や環境に応じて主ロープ３やコンペンロープ６が伸びた場合には、ウェッジ８ｄは、筐体８ｃとコンペンレール８ａとの間に摩擦係合されない状態が保持されており、コンペンプーリ７の下降とともに筐体８ｃも下降する。
【００２３】  一方、例えば、非常時、すなわち、かご４の降下速度が規定値を超え、非常止め装置９が動作してかご４が急停止することがある。この場合、かご４の急停止と同時につり合いおもり５がその慣性力によって跳ね上がり、コンペンロープ６のつり合いおもり５側の端部が急速に引き上げられる。そして、つり合いおもり５側の端部が急速に引き上げあれると、コンペンプーリ７も跳ね上がり、図４に示すように、コンペンプーリ７と筐体８ｃとが衝突して、筐体８ｃが押し上げられる。
【００２４】  このように筐体８ｃが急速に押し上げられると、図５に示すように、ばね体８ｆは圧縮されてウェッジ８ｄが押し上げられる。そして、ウェッジ８ｄは、筐体８ｃとコンペンレール８ａとの間に摩擦係合する。このように、ウェッジ８ｄが筐体８ｃとコンペンレール８ａとの間に摩擦係合して、タイダウン装置８が動作した状態となることにより、コンペンプーリ７の上昇を防止して、コンペンプーリ７の位置が規制される。ばね体８ｆのばね力は、上記したように、ロープ縮みによる筐体８ｃの上昇で圧縮されることがなく、ウェッジ８ｄの自重を支持可能な値に設定され、筐体８ｃが急速に押し上げられた場合には、ウェッジ８ｄの慣性力によりウェッジ８ｄとコンペンレール８ａとを係合させる値に設定される。
【００２５】  上記したように、本実施の形態におけるタイダウン装置８は、非常時には、筐体８ｃの上昇を妨げることがなく、平常時には、ウェッジ８ｄをコンペンレール８ａと摩擦係合しない高さ位置に支持する支持部材（ばね体８ｆ及びボルト８ｇ）を設けて、ロープ縮みによる筐体８ｃの緩やかな上昇によるウェッジ８ｄが筐体８ｃとコンペンレール８ａとの間に摩擦係合することを防ぐことができる。これにより、非常時のタイダウン装置８の本来の機能を損なうことなく、平常時には、主ロープ３及びコンペンロープ６の伸縮に筐体８ｃを追従させ、エレベーターを安全な状態に保つことができる。
【００２６】  なお、上記した実施形態では、非常時に筐体８ｃの上昇を妨げることなく、平常時にウェッジ８ｄをコンペンレール８ａと摩擦係合しない高さ位置に支持する支持部材を、ばね体８ｆ及びボルト８ｇから構成したが、筐体８ｃが緩やかに上下する場合にコンペンレール８ａと係合せず、ウェッジ８ｄの自重を支持する値に設定可能であり、筐体８ｃが急速に押し上げられた場合に、ウェッジ８ｄの慣性力によりウェッジ８ｄとコンペンレール８ａとを係合させる値に設定可能な弾性体であれば、かかる例に限定されるものではない。
【符号の説明】
【００２７】  １    シーブ  ２    そらせ車  ３    主ロープ  ４    かご  ５    つり合いおもり  ６    コンペンロープ  ７    コンペンプーリ  ８    タイダウン装置  ８ａ  コンペンレール  ８ｂ  傾斜面  ８ｃ  筐体  ８ｄ  ウェッジ  ８ｅ  ローラ  ８ｆ  ばね体  ８ｇ  ボルト  ８ｈ  保持部材  ８ｉ  ロッド  ９    非常止め装置  １０  エレベーター装置 
【図１】
2015125294.tif 000003
【図２】
2015125294.tif 000004
【図３】
2015125294.tif 000005
【図４】
2015125294.tif 000006
【図５】
2015125294.tif 000007
【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
コンペンレールに沿って上下動可能に支持され、前記コンペンレールと対向しつつ上方に向かって末広がりに開いている傾斜面を有する筐体と、
前記コンペンレールと前記筐体の傾斜面との間隙に配置され、前記コンペンレールと摩擦係合可能なウェッジと、
前記筐体の傾斜面と前記ウェッジとの対向表面によって挟持されながら前記筐体の傾斜面及び前記ウェッジ上を転動するローラと、
前記ウェッジを支持する支持部材と、
を備え、
前記支持部材は、前記筐体が緩やかに上下する場合に、前記ウェッジを前記コンペンレールと摩擦係合しない高さ位置に支持し、前記筐体が急速に押し上げられた場合に、前記ウェッジを前記コンペンレールと摩擦係合するように動作し、
前記支持部材は、前記ウェッジ下端と前記筐体底部との間に介装される弾性体からなり、前記弾性体の弾性力は、前記筐体が緩やかに上下する場合に前記コンペンレールと係合せず、前記弾性体の圧縮量をウェッジの自重を支持する値に設定され、前記筐体が急速に押し上げられた場合には、前記ウェッジの慣性力により前記ウェッジと前記コンペンレールとを係合させる値に設定される、
ことを特徴とする、エレベーターのタイダウン装置。
【請求項２】
（削除）
【請求項３】
前記支持部材は、ばね体及びボルトからなり、前記筐体が緩やかに上下する場合には、前記ばね体が圧縮されることなく前記ウェッジを前記筐体の動きに合わせて上昇または下降させ、前記筐体が急速に押し上げられた場合に、前記ばね体が圧縮されて前記ウェッジが前記筐体と前記コンペンレールとの間に摩擦係合される
ことを特徴とする、請求項１に記載のエレベーターのタイダウン装置。
【請求項４】
巻上機のシーブに巻き付けられた主ロープによってつるべ状に吊設された乗りかご及びつり合いおもりと、
前記乗りかご及び前記つり合いおもりの下部に連結されるコンペンロープと、
前記コンペンロープの下端部に配置されるコンペンプーリと、
前記コンペンプーリの位置を規制するタイダウン装置と、
を備え、
前記タイダウン装置は、
コンペンレールに沿って上下動可能に支持され、前記コンペンレールと対向しつつ上方に向かって末広がりに開いている傾斜面を有する筐体と、
前記コンペンレールと前記筐体の傾斜面との間隙に配置され、前記コンペンレールと摩擦係合可能なウェッジと、
前記筐体の傾斜面と前記ウェッジとの対向表面によって挟持されながら前記筐体の傾斜面及び前記ウェッジ上を転動するローラと、
前記ウェッジを支持する支持部材と、
を備え、
前記支持部材は、前記筐体が緩やかに上下する場合に、前記ウェッジを前記コンペンレールと摩擦係合しない高さ位置に支持し、前記筐体が急速に押し上げられた場合に、前記ウェッジを前記コンペンレールと摩擦係合するように動作し、
前記支持部材は、前記ウェッジ下端と前記筐体底部との間に介装される弾性体からなり、前記弾性体の弾性力は、前記筐体が緩やかに上下する場合に前記コンペンレールと係合せず、前記弾性体の圧縮量をウェッジの自重を支持する値に設定され、前記筐体が急速に押し上げられた場合には、前記ウェッジの慣性力により前記ウェッジと前記コンペンレールとを係合させる値に設定される、
ことを特徴とする、エレベーター装置。
【請求項５】
前記乗りかごの昇降速度が規定値を超えたことを検出して前記乗りかごを非常停止する非常止め装置をさらに備え、
前記支持部材は、平常時には、前記ウェッジを前記コンペンレールと摩擦係合しない高さ位置に支持し、前記非常止め装置により前記乗りかごが非常停止した場合に、前記ウェッジを前記コンペンレールと摩擦係合するように動作する
ことを特徴とする、請求項４に記載のエレベーター装置。
【国際調査報告】
2015125294.tif 000008
2015125294.tif 000009
2015125294.tif 000010